(57)【要約】  スポーツブラなどの物品（１００）およびその製作方法を説明する。スポーツブラは、バストパネル（１０８）と、第１ショルダーストラップ（１０６ａ）と、第２ショルダーストラップ（１０６ｂ）とを含む前側パネル（１０２）を備えてもよい。前記スポーツブラは、第１バックストラップ（１１０ａ）と第２バックストラップ（１１０ｂ）とを含む後側パネル（１０４）を備えてもよい。前記第１バックストラップは、第１ショルダーシーム（１０８ａ）で前記第１ショルダーストラップに結合され、前記第２バックストラップは、第２ショルダーシーム（１０８ｂ）で前記第２ショルダーストラップに結合されてもよい。前記第１バックストラップは、第１サイドシーム（１１２ａ）で前記バストパネルに結合され、前記第２バックストラップは、第２サイドシーム（１１２ｂ）で前記バストパネルに結合されてもよい。前記バックストラップの一方または両方は、テーパ幅を示す曲線線形形状を有してもよい。【選択図】図１
2021524889.tif 000002
【特許請求の範囲】
【請求項１】
バストパネルと、第１ショルダーストラップと、第２ショルダーストラップとを含む前側パネルで、前記第１ショルダーストラップおよび前記第２ショルダーストラップは、互いに離間して前記バストパネルから延びて、着用者の首を受け入れるように構成された首穴の少なくとも一部を画定し、および前記バストパネルは、補助的な弾性周方向バンドを含まない、前側パネルと、
クロスバックパターンに構成される第１バックストラップと第２バックストラップとを含む後側パネルと、を備えたスポーツブラであって、
前記第１バックストラップは、第１ショルダーシームで前記第１ショルダーストラップに結合され、前記第２バックストラップは、第２ショルダーシームで前記第２ショルダーストラップに結合され、
前記第１バックストラップは、第１サイドシームで前記バストパネルに結合され、前記第１バックストラップは、前記第１サイドシームと前記第１ショルダーシームとの間にテーパ幅を示す曲線線形形状を有し、前記第１サイドシームは、前記第１ショルダーシームの長さより長い長さを有し、および
前記第２バックストラップは、第２サイドシームで前記バストパネルに結合され、前記第２バックストラップは、前記第２サイドシームと前記第２ショルダーシームとの間にテーパ幅を示す曲線線形形状を有し、前記第２サイドシームは、前記第２ショルダーシームの長さより長い長さを有する、スポーツブラ。
【請求項２】
バストパネルと、第１ショルダーストラップと、第２ショルダーストラップとを含む前側パネルで、前記第１ショルダーストラップおよび前記第２ショルダーストラップは、互いに離間して前記バストパネルから延びて、着用者の首を受け入れるように構成された首穴の少なくとも一部を画定する、前側パネルと、
第１バックストラップまたは第２バックストラップの一方が、第１バックストラップまたは第２バックストラップの他方の一部を覆うように構成される第１バックストラップと第２バックストラップとを含む後側パネルと、を備えた物品であって、
前記第１バックストラップは、第１ショルダーシームで前記第１ショルダーストラップに結合され、前記第２バックストラップは、第２ショルダーシームで前記第２ショルダーストラップに結合され、
前記第１バックストラップは、第１サイドシームで前記バストパネルに結合され、前記第１サイドシームは、前記第１ショルダーシームの長さより長い長さを有し、および
前記第２バックストラップは、第２サイドシームで前記バストパネルに結合され、前記第２サイドシームは、前記第２ショルダーシームの長さより長い長さを有する、物品。
【請求項３】
前記第１バックストラップは、バータックで前記第２バックストラップに結合され、前記バータックは、３／８インチから１／２インチの間の長さを有する、請求項２に記載の物品。
【請求項４】
前記前側パネルおよび前記後側パネルは、１つまたは複数の前記サイドシームが着用者の背中の中心軸に向かって付勢されるように構成される、請求項２に記載の物品。
【請求項５】
前記バストパネルは、補足的な弾性周方向バンドを含まない、請求項２に記載の物品。
【請求項６】
前記第１バックストラップの一部、前記第２バックストラップの一部、および前記前側パネルの一部は、着用者の腕を受け入れるように構成されたアーム穴を画定する、請求項２に記載の物品。
【請求項７】
前記第１サイドシームおよび前記第２サイドシームの一方または両方の長さは、４  １／２インチから４  ５／８インチの間である、請求項２に記載の物品。
【請求項８】
前記第１ショルダーシームおよび前記第２ショルダーシームの一方または両方の長さは、１インチから１．５インチの間である、請求項２に記載の物品。
【請求項９】
前記第１サイドシームの長さと前記第１ショルダーシームの長さとの比は、２．５：１であり、および前記第２サイドシームの長さと前記第２ショルダーシームの長さとの比は、２．５：１である、請求項２に記載の物品。
【請求項１０】
前記第１バックストラップおよび前記第２バックストラップの一方または両方は、アウターレイヤと、前記アウターレイヤに隣接して設けられ、着用者に当接するよう構成されたメッシュライナーとを含み、および、前記アウターレイヤは、１１％〜１２％のエラスタンを含む、請求項２に記載の物品。
【請求項１１】
前記メッシュライナーは、８０％〜８１％のナイロンから構成される、請求項１０に記載の物品。
【請求項１２】
前記第１バックストラップおよび前記第２バックストラップの一方または両方は、曲線線形形状を有する、請求項２に記載の物品。
【請求項１３】
前記第１サイドシームおよび前記第２サイドシームの一方または両方は、前記第１バックストラップおよび前記第２バックストラップの対応する１つに結合されたメッシュ材料によって覆われている、請求項２に記載の物品。
【請求項１４】
バストパネルと、第１ショルダーストラップと、第２ショルダーストラップとを含む前側パネルで、前記第１ショルダーストラップおよび前記第２ショルダーストラップは、互いに離間して前記バストパネルから延びて、着用者の首を受け入れるように構成された首穴の少なくとも一部を画定する、前側パネルと、
クロスバックパターンに構成される第１バックストラップと第２バックストラップとを含む後側パネルと、を備えた物品であって、
前記第１バックストラップは、第１ショルダーシームで前記第１ショルダーストラップに結合され、前記第２バックストラップは、第２ショルダーシームで前記第２ショルダーストラップに結合され、
前記第１バックストラップは、第１サイドシームで前記バストパネルに結合され、前記第１バックストラップは、前記第１サイドシームと前記第１ショルダーシームとの間にテーパ幅を示す曲線線形形状を有し、および
前記第２バックストラップは、第２サイドシームで前記バストパネルに結合され、前記第２バックストラップは、前記第２サイドシームと前記第２ショルダーシームとの間にテーパ幅を示す曲線線形形状を有する、物品。
【請求項１５】
前記第１バックストラップは、前記第２バックストラップの少なくとも一部を覆うことで、前記クロスバックパターンを画定する、請求項１４に記載の物品。
【請求項１６】
前記第１バックストラップは、バータックで前記第２バックストラップに結合され、前記バータックは、３／８インチから１／２インチの間の長さを有する、請求項１４に記載の物品。
【請求項１７】
前記前側パネルおよび前記後側パネルは、１つまたは複数の前記サイドシームが着用者の背中の中心軸に向かって付勢されるように構成される、請求項１４に記載の物品。
【請求項１８】
前記バストパネルは、補足的な弾性周方向バンドを含まない、請求項１４に記載の物品。
【請求項１９】
前記第１バックストラップの一部、前記第２バックストラップの一部、および前記前側パネルの一部は、着用者の腕を受け入れるように構成されたアーム穴を画定する、請求項１４に記載の物品。
【請求項２０】
前記第１バックストラップおよび前記第２バックストラップの一方または両方は、アウターレイヤと、前記アウターレイヤに隣接して設けられ、着用者に当接するよう構成されたメッシュライナーとを含む、請求項１４に記載の物品。
【発明の詳細な説明】
【技術分野】
【０００１】
本開示は、例えば、様々なアクティビティの際に、女性にサポートを提供するよう作られた物品に関する。より具体的には、スポーツブラは、着用者の胸および背中に快適さとサポートを提供するように構成される。
【背景技術】
【０００２】
最新技術では、着用者の肋骨にまたはその近くに配置された弾性バンドを含み、スポーツブラの他の部分において固有の弾性を補うことにより、着用者をサポートする様々なスポーツブラが提案されている。このような弾性バンドは、スポーツブラを着用者の胴に固定するためにスポーツブラの本体を形成するパネルの材料よりも弾性力がなくてもよい。
【０００３】
一例として、Ｓｃｈｒｅｉｂｅｒおよびその他による米国特許第４，１７４，７１７号および第４，３１１，１５０号の各々は、胸を身体にぴったりと保持するように設計された運動用ブラジャを開示している。幅広の弾性リブバンドおよび背中で交差する弾性ストリップが、ブラジャをしっかりと固定する。
【０００４】
Ｆｌａｎａｇａｎおよびその他による米国特許第４，５８３，５４４号は、前側パネルおよび後側パネルの底部に取り付けられ、ブラジャの周りに連続的に延びる弾性バンドを有するスポーツブラを記載している。
【０００５】
Ｂｒａａｔｅｎによる米国特許第４，８１６，００５号は、底部縁に固定された弾性バンドを備えるとともに、前側および後側パネル部分と同一の広がりを持つ連続的な底部縁を有するスポーツブラを記載している。
【０００６】
Ｈｏｒｉによる米国特許第７，３８１，１１３号は、ブラの胸カップの横方向の動きを制限するために、内側布層および外側布層の下縁の周りに配置された弾性バンドを有するスポーツブラを記載している。
【０００７】
多くの場合、周方向弾性バンドを含む従来技術のスポーツブラは、弾性バンドがスポーツブラを着用者に固定する領域で、着用者に刺激または不快感が生じる虞がある。したがって、スポーツブラおよびその他の衣料品の改良が必要である。
【発明の概要】
【０００８】
本開示は、ブラジャおよび特にスポーツブラなどの衣料品に関する。
【０００９】
スポーツブラは、バストパネルと、第１ショルダーストラップと、第２ショルダーストラップとを含む前側パネルで、前記第１ショルダーストラップおよび前記第２ショルダーストラップは、互いに離間して前記バストパネルから延びて、着用者の首を受け入れるように構成された首穴の少なくとも一部を画定し、および前記バストパネルは、補助的な弾性周方向バンドを含まない、前側パネルと、クロスバックパターンに構成される第１バックストラップと第２バックストラップとを含む後側パネルとを備えてもよい。前記第１バックストラップは、第１ショルダーシームで前記第１ショルダーストラップに結合され、前記第２バックストラップは、第２ショルダーシームで前記第２ショルダーストラップに結合される。前記第１バックストラップは、第１サイドシームで前記バストパネルに結合され、前記第１バックストラップは、前記第１サイドシームと前記第１ショルダーシームとの間にテーパ幅を示す曲線線形形状を有し、前記第１サイドシームは、前記第１ショルダーシームの長さより長い長さを有する。前記第２バックストラップは、第２サイドシームで前記バストパネルに結合され、前記第２バックストラップは、前記第２サイドシームと前記第２ショルダーシームとの間にテーパ幅を示す曲線線形形状を有し、前記第２サイドシームは、前記第２ショルダーシームの長さより長い長さを有する。
【００１０】
物品は、バストパネルと、第１ショルダーストラップと、第２ショルダーストラップとを含む前側パネルで、前記第１ショルダーストラップおよび前記第２ショルダーストラップは、互いに離間して前記バストパネルから延びて、着用者の首を受け入れるように構成された首穴の少なくとも一部を画定する、前側パネルと、第１バックストラップまたは第２バックストラップの一方が、第１バックストラップまたは第２バックストラップの他方の一部を覆うように構成される第１バックストラップと第２バックストラップとを含む後側パネルとを備えてもよい。前記第１バックストラップは、第１ショルダーシームで前記第１ショルダーストラップに結合され、前記第２バックストラップは、第２ショルダーシームで前記第２ショルダーストラップに結合される。前記第１バックストラップは、第１サイドシームで前記バストパネルに結合され、前記第１サイドシームは、前記第１ショルダーシームの長さより長い長さを有する。前記第２バックストラップは、第２サイドシームで前記バストパネルに結合され、前記第２サイドシームは、前記第２ショルダーシームの長さより長い長さを有する。
【００１１】
物品は、バストパネルと、第１ショルダーストラップと、第２ショルダーストラップとを含む前側パネルで、前記第１ショルダーストラップおよび前記第２ショルダーストラップは、互いに離間して前記バストパネルから延びて、着用者の首を受け入れるように構成された首穴の少なくとも一部を画定する、前側パネルと、クロスバックパターンに構成される第１バックストラップと第２バックストラップとを含む後側パネルとを備えてもよい。前記第１バックストラップは、第１ショルダーシームで前記第１ショルダーストラップに結合され、前記第２バックストラップは、第２ショルダーシームで前記第２ショルダーストラップに結合される。前記第１バックストラップは、第１サイドシームで前記バストパネルに結合され、前記第１バックストラップは、前記第１サイドシームと前記第１ショルダーシームとの間にテーパ幅を示す曲線線形形状を有する。前記第２バックストラップは、第２サイドシームで前記バストパネルに結合され、前記第２バックストラップは、前記第２サイドシームと前記第２ショルダーシームとの間にテーパ幅を示す曲線線形形状を有する。
【００１２】
したがって、本明細書におけるその詳細な説明の理解を深められるように、および当技術分野への現在の貢献の理解を深められるように、本開示の特定の実施形態を概説した。もちろん、以下に説明され、添付の特許請求の範囲の主題を形成する本発明の追加の実施形態がある。
【図面の簡単な説明】
【００１３】
本発明のより完全な理解を容易にするために、同様の要素が同様の数字で参照される添付の図面を参照する。これらの図面は、本発明を限定するものとして解釈されるべきではなく、例示することのみを目的としている。  
【００１４】
【図１】図１は、本開示の態様に係るスポーツブラの正面斜視図である。
【００１５】
【図２】図２は、図１に示されるスポーツブラの後面斜視図である。
【００１６】
【図３】図３は、図１に示されるスポーツブラの内側正面斜視図であり、スポーツブラの内面を示す。
【００１７】
【図４】図４は、図１に示されるスポーツブラの内側後面斜視図であり、スポーツブラの内面を示す。
【００１８】
【図５】図５Ａは、本開示の態様に係る、着用者のモデル上に配置されたスポーツブラの正面図である。
【００１９】
図５Ｂは、図５Ａに示されるスポーツブラの正面斜視図である。
【００２０】
図５Ｃは、図５Ａに示されるスポーツブラの側面図である。
【００２１】
図５Ｄは、図５Ａに示されるスポーツブラの後面斜視図である。
【００２２】
図５Ｅは、図５Ａに示されるスポーツブラの後面図である。  
【００２３】
【図６】図６は、本開示の態様に係るバックストラップの内面の斜視図である。
【発明を実施するための形態】
【００２４】
ブラ（例えば、スポーツブラ、日常ブラ）などの衣料品について説明されている。
【００２５】
図１〜６は、ブラなどの物品１００を示す。図示するように、物品１００は、バストパネルと、第１ショルダーストラップと、第２ショルダーストラップとを有する前側パネルを含み得る。第１ショルダーストラップおよび第２ショルダーストラップは、互いに離間していてもよく、バストパネルから延びて、着用者の首を受けるように構成された首穴の少なくとも一部を画定してもよい。特定の態様では、バストパネルは、従来のブラに使用されているものなど、補足的な弾性周方向バンドを含まない。後側パネルは、クロスバックパターンに構成される第１バックストラップと第２バックストラップを有しており、第１バックストラップは、第１ショルダーシームで第１ショルダーストラップに結合され、第２バックストラップは、第２ショルダーシームで第２ショルダーストラップに結合されている。第１バックストラップは、第１サイドシームでバストパネルに結合されてもよい。第１バックストラップは、第１サイドシームと第１ショルダーシームとの間にテーパ幅を示す曲線線形形状を有していてもよく、第１サイドシームは、第１ショルダーシームの長さよりも長い長さを有する。第２バックストラップは、第２サイドシームでバストパネルに結合されてもよい。第２バックストラップは、第２サイドシームと第２ショルダーシームとの間にテーパ幅を示す曲線線形形状を有していてもよく、第２サイドシームは、第２ショルダーシームの長さよりも長い長さを有する。
【００２６】
図１は、本開示の態様に係る物品１００の正面斜視図である。物品は、スポーツブラなどのブラを含み得る。物品１００は、前側パネル１０２を有し得る。前側パネル１０２は、バストパネル１０７を含むことができる。バストパネル１０７は、当技術分野で周知の従来の周方向バンドなど、補足的な弾性周方向バンドを含んでいなくてもよい（例えば、除外してもよい）。前側パネル１０２は、第１ショルダーストラップ１０６ａおよび第２ショルダーストラップ１０６ｂを含み得る。ショルダーストラップ１０６の各々は、ストラップの集まりから構成されてもよく、または単一の一体型ストラップであってもよい。第１ショルダーストラップ１０６ａおよび第２ショルダーストラップ１０６ｂは、互いに離間していてもよい。第１ショルダーストラップ１０６ａおよび第２ショルダーストラップ１０６ｂは、バストパネル１０７から延びて、着用者の首を受けるように構成された首穴１１４の少なくとも一部を画定してもよい。物品１００は、首穴１１４の反対側に配置された周縁など、底縁１１６を含むことができる
【００２７】
図２は、図１に示される物品１００の後面斜視図である。物品１００は、後側パネル１０４を有し得る。後側パネル１０４は、第１バックストラップ１１０ａおよび第２バックストラップ１１０ｂを含み得る。バックストラップ１１０は、ストラップの集まりによって画定されてもよく、または単一の一体型ストラップであってもよい。第１バックストラップ１１０ａおよび第２バックストラップ１１０ｂは、第１バックストラップ１１０ａまたは第２バックストラップ１１０の一方が第１バックストラップ１１０ａおよび第２バックストラップ１１０ｂの他方の一部を覆うように構成され得る。第１バックストラップ１１０ａおよび第２バックストラップ１１０ｂは、図２に示されるようなクロスバックパターンまたはその他のクロスバックパターンに構成されてもよい。第１バックストラップ１１０ａは、第２バックストラップ１１０ｂを覆うことができ、それによってクロスバックパターンを画定する。
【００２８】
第１バックストラップ１１０ａは、第１ショルダーシーム１０８ａで第１ショルダーストラップ１０６ａに結合されてもよい。第２バックストラップ１１０ｂは、第２ショルダーシーム１０８ｂで第２ショルダーストラップ１０６ｂに結合されてもよい。
【００２９】
物品１００は、第１アーム穴１１８ａおよび第２アーム穴１１８ｂなど、１つまたは複数のアーム穴を含むことができる。第１バックストラップ１１０ａの一部、第２バックストラップ１１０ｂの一部、および前側パネル１０２の一部は、着用者の腕を受け入れるように構成されたアーム穴１１８を画定することができる。例えば、第１アーム穴１１８ａは、第１バックストラップ１１０ａの上部および第２バックストラップ１１０ｂの下部によって画定され得る。第２アーム穴１１８ｂは、第２バックストラップ１１０ｂの上部および第１バックストラップ１１０ａの下部によって画定され得る。
【００３０】
第１バックストラップ１１０ａは、第１サイドシーム１１２ａでバストパネル１０７に結合されてもよい。第１バックストラップ１１０ａは、曲線線形形状を有してもよい。第１バックストラップ１１０ａは、第１サイドシーム１１２ａと第１ショルダーシーム１０８ａとの間にテーパ幅を示す曲線線形形状を有していてもよい。第１サイドシーム１１２ａは、第１ショルダーシーム１０８ａの長さよりも長い長さを有してもよい。第２バックストラップ１１０ｂは、第２サイドシーム１１２ｂでバストパネル１０７に結合されてもよい。第２バックストラップ１１０ｂは、曲線線形形状を有してもよい。第２バックストラップ１１０ｂは、第２サイドシーム１１２ｂと第２ショルダーシーム１０８ｂとの間にテーパ幅を示す曲線線形形状を有していてもよい。第２サイドシーム１１２ｂは、第２ショルダーシーム１０８ｂの長さよりも長い長さを有してもよい。
【００３１】
図３は、図１に示される物品１００の内側正面斜視図であり、前側パネル１０２の内面を示す。物品１００は、前側ヨーク２００を含み得る。前側ヨーク２００は、バストパネル１０７（図１）の少なくとも内側部分（例えば、身体に面する）および１つまたは複数のショルダーストラップ１０６（図１）の内側部分によって画定されてもよい。前側ヨーク２００は、メッシュライナーなどのメッシュ材料から形成されてもよく、および／またはバストパネル１０７および／またはショルダーストラップ１０６を形成する材料を有する多層構造を形成してもよい。前側ヨーク２００を形成する材料は、固有の弾性を有してもよく、および／または弾性バンドなどの１つまたは複数の弾性要素が補充されてもよい。一例として、弾性バンドは、前側ヨーク２００の周縁に、またはその近くに配置されてもよい。
【００３２】
物品１００は、前側ヨーク２００に結合された第１カップ２０２および第２カップ２０４を含み得る。１つまたは複数のカップ２０２、２０４は、成形された発泡材料から形成されてもよく、バストパネル１０７（図１）の少なくとも一部に隣接する内層を画定してもよい。カップ２０２、２０４を形成する材料は、固有の弾性を有してもよく、および／または弾性バンドなどの１つまたは複数の弾性要素が補充されてもよい。一例として、弾性バンドは、底縁１１６またはアーム穴１１８（図１）に沿うなど、カップ２０２、２０４の周縁に、またはその近くに配置されてもよい。
【００３３】
物品１００は、前側ヨーク２００およびカップ２０２、２０４に結合され、第１カップ２０２と第２カップ２０４との間に配置されるゴア２０６を含み得る。ゴア２０６は、浸潤性、通気性のあるジャージ素材から形成されてもよい。一例として、カップ２０２、２０４は、互いに離間していてよく、ゴア２０６は、カップ２０２、２０４の間に配置された材料を画定してよい。例えば、浸潤性、水分管理、冷却、および吸収性のために様々な材料を選択することができる。
【００３４】
物品１００は、第１オーバーレイ２１０および第２オーバーレイ２０８を含み得る。第１オーバーレイ２１０および第２オーバーレイ２０８は、メッシュ材料を含む様々な材料から形成されてもよい。オーバーレイは、本明細書で論じられるように、バックストラップ１１０の内面と同じ材料から形成されてもよい。例えば、オーバーレイ２０８、２１０は、内側から見たときに（例えば、図６を参照）、１つまたは複数のサイドシーム１１２の少なくとも一部を覆うように構成されてもよい。
【００３５】
図４は、図１に示される物品１００の内側後面斜視図であり、物品１００（例えば、スポーツブラ）の内面を示す。第１バックストラップ１１０ａは、第２バックストラップ１１０ｂに結合されてもよい。図示するように、第１バックストラップ１１０ａは、第２バックストラップ１１０ｂに留められてもよい。第１バックストラップ１１０ａは、タック１２４で第２バックストラップ１１０ｂに結合されてもよい。タック１２４は、バータックを含んでいてもよく、約３／８インチの長さを有し得る。しかしながら、他の結合および長さを使用してもよい。
【００３６】
第１バックストラップ１１０ａは、第１内側縁部２１４ａに隣接して配置された第１内側弾性バンド２１２ａを含んでもよい。第２バックストラップ１１０ｂは、第２内側縁部２１４ｂに隣接して配置された第２内側弾性バンド２１２ｂを含んでもよい。第１バックストラップ１１０ａは、第１外側縁部２１８ａに隣接して配置された第１外側弾性バンド２１６ａを含んでもよい。第１バックストラップ１１０ａは、第１外側縁部２１８ｂに隣接して配置された第２外側弾性バンド２１６ｂを含んでもよい。第１バックストラップ１１０ａは、第１内側面２２２ａを含み得る。第２バックストラップ１１２ｂは、第２内側面２２２ｂを含み得る。第１内側面２２２ａおよび第２内側面２２２ｂ。１つまたは複数の弾性バンドは、それぞれのシームまたは縁に構造を提供するように、且つ、それぞれのシームまたは縁をある位置またはその近くに保持するように形成することができる。
【００３７】
図５Ａ〜５Ｅは、物品１００の様々な斜視図を示す。図５Ａは、本開示の態様に係る、着用者のモデル上に配置されたスポーツブラの正面図である。図５Ｂは、図５Ａに示される物品１００（例えば、スポーツブラ）の正面斜視図である。図５Ｃは、図５Ａに示される物品１００（例えば、スポーツブラ）の側面図である。図５Ｄは、図５Ａに示される物品１００（例えば、スポーツブラ）の後面斜視図である。図５Ｅは、図５Ａに示される物品１００（例えば、スポーツブラ）の後面図である。
【００３８】
図５Ｄに示すように、前側パネル１０２および後側パネル１０４は、１つまたは複数のサイドシーム（例えば、第１サイドシーム１１２ａ、第２サイドシーム１１２ｂ）が着用者の背中の中心軸（例えば、軸Ａ）に向かって付勢されるように構成されてもよい。例えば、第１サイドシーム１１２ａおよび／または第２サイドシーム１１２ｂは、着用者の前側の中心よりも、ウェアの後側の中心軸により近くてもよい。さらなる例として、１つまたは複数のサイドシーム１１２は、着用者の中心側から約２インチだけ、着用者の軸Ａに向かって付勢されてもよい。しかしながら、他の付勢を使用してもよい。
【００３９】
第１バックストラップ１１０ａは、第１アウターレイヤ１２２ａを含み得る。第２バックストラップ１１０ｂは、第２アウターレイヤ１２２ｂを含み得る。第１アウターレイヤ１２２ａおよび第２アウターレイヤ１２２ｂの一方または両方は、スパンデックス（例えば、スパンデックスアウターレイヤ）を含んでもよい。アウターレイヤ１２２のスパンデックスまたは他の材料は、エラスタン、例えば、約１１％〜約１２％のエラスタン（または１１％〜１２％のエラスタン）を含み得る。物品１００は、前側表面１２０を含み得る。前側表面１２０は、スパンデックスを含んでもよい。
【００４０】
第１バックストラップ１１０ａおよび第２バックストラップ１１０ｂの一方または両方は、メッシュライナーを含み得る。メッシュライナーは、スパンデックスアウターレイヤ（例えば、第１アウターレイヤ１２２ａ、第２アウターレイヤ１２２ｂ）に隣接して設けられてもよい。メッシュライナーは、着用者に当接するように構成され得る。メッシュライナーは、約８０％〜約８１％のナイロンから構成され得る。例えば、第１内面２２２ａおよび／または第２内面２２２ｂは、メッシュライナーを含んでもよい。ヨーク２００、第１オーバーレイ２１０、第２オーバーレイ２０８、またはそれらの組み合わせも、メッシュライナーを含んでもよい。メッシュライナーは、着用者に当接するように構成され得る。メッシュライナーは、約８０％〜約８１％のナイロンから構成され得る。
【００４１】
物品１００は、様々なサイズで製造することができる。図示するように、第１サイドシーム１１２ａおよび第２サイドシーム１１２ｂの一方または両方（例えば、別々に）の長さは、約４  １／２インチから約４  ５／８インチの間であってよい。第１ショルダーシーム１０８ａおよび第２ショルダーシーム１０８ｂの一方または両方（例えば、別々に）の長さは、約１インチから約１．５インチの間であってよい。第１サイドシーム１１２ａの長さと第１ショルダーシーム１０８ａの長さとの比は、約２．５：１であってもよい。第２サイドシーム１１２ｂの長さと第２ショルダーシーム１０８ｂの長さとの比は、約２．５：１であってもよい。タック１２４（例えば、バータック）は、約３／８インチから約１／２インチの間の長さを有し得る。
【００４２】
図６は、本開示の態様に係るバックストラップの内面の斜視図である。図６は、第１オーバーレイ２１０など、例示的なオーバーレイのより近接した図を示す。第１オーバーレイ２０１は、第２カップ２０４に隣接していてもよい（例えば、またはそれに結合されてもよい）。第１サイドシーム１１２ａおよび第２サイドシーム１１２ｂの一方または両方は、第１バックストラップ１１０ａおよび第２バックストラップ１１０ｂの対応する１つに結合されたメッシュ材料によって覆われていてもよい。メッシュライナーは、約８０％〜約８１％のナイロンから構成され得る。
【００４３】
この点で、本発明の少なくとも１つの実施形態を詳細に説明する前に、本発明は、その用途において、構造の詳細および以下の説明に記載または図示された構成要素の配置に限定されないことを理解されたい。本発明は、記載されたものに加えて１つまたは複数の実施形態が可能であり、様々な方法で実施および実行することができる。また、本明細書ならびに要約で使用される表現および用語は、説明を目的としており、限定と見なされるべきではないことを理解されたい。
【００４４】
本願における「一実施形態」、「実施形態」、「１つまたは複数の実施形態」、「態様」などの引用は、実施形態に関連して説明された特定の特徴、構造、または特性が本開示の少なくとも一実施形態に含まれることを意味する。例えば、明細書中の様々な場所での「実施形態」という語句の出現は、必ずしもすべてが同じ実施形態を指しているわけではなく、他の実施形態と相互に排他的な別個のまたは代替の実施形態でもない。さらに、いくつかの実施形態によって示され、他の実施形態によって示されない可能性がある様々な特徴が説明される。同様に、いくつかの実施形態の要件であり得るが他の実施形態の要件ではない可能性がある様々な要件が説明されている。
【００４５】
以下の例示的な実施形態は、本開示が要旨を当業者に完全かつ十分に伝えるように提供される。本開示の例示的な実施形態の完全な理解を提供するために、特定の構成要素、デバイス、および概略構成の例など、多数の特定の詳細が示されている。しかしながら、これらの特定の詳細を使用する必要がないこと、例示的な実施形態が多くの異なる形態で実施されてもよく、いずれも本開示の範囲を限定すると解釈されるべきでないことは、当業者には明らかであろう。
【００４６】
様々な態様では、本開示は、以下の例の１つまたは複数に関係し得る。
【００４７】
実施例１：バストパネルと、第１ショルダーストラップと、第２ショルダーストラップとを含む前側パネルで、前記第１ショルダーストラップおよび前記第２ショルダーストラップは、互いに離間して前記バストパネルから延びて、着用者の首を受け入れるように構成された首穴の少なくとも一部を画定し、および前記バストパネルは、補助的な弾性周方向バンドを含まない、前側パネルと、クロスバックパターンに構成される第１バックストラップと第２バックストラップとを含む後側パネルと、を備えたスポーツブラであって、前記第１バックストラップは、第１ショルダーシームで前記第１ショルダーストラップに結合され、前記第２バックストラップは、第２ショルダーシームで前記第２ショルダーストラップに結合され、前記第１バックストラップは、第１サイドシームで前記バストパネルに結合され、前記第１バックストラップは、前記第１サイドシームと前記第１ショルダーシームとの間にテーパ幅を示す曲線線形形状を有し、前記第１サイドシームは、前記第１ショルダーシームの長さより長い長さを有し、および前記２バックストラップは、第２サイドシームで前記バストパネルに結合され、前記第２バックストラップは、前記第２サイドシームと前記第２ショルダーシームとの間にテーパ幅を示す曲線線形形状を有し、前記第２サイドシームは、前記第２ショルダーシームの長さより長い長さを有する、スポーツブラ。
【００４８】
実施例２：バストパネルと、第１ショルダーストラップと、第２ショルダーストラップとを含む前側パネルで、前記第１ショルダーストラップおよび前記第２ショルダーストラップは、互いに離間して前記バストパネルから延びて、着用者の首を受け入れるように構成された首穴の少なくとも一部を画定する、前側パネルと、第１バックストラップまたは第２バックストラップの一方が、第１バックストラップまたは第２バックストラップの他方の一部を覆うように構成される第１バックストラップと第２バックストラップとを含む後側パネルと、を備えた物品であって、前記第１バックストラップは、第１ショルダーシームで前記第１ショルダーストラップに結合され、前記第２バックストラップは、第２ショルダーシームで前記第２ショルダーストラップに結合され、前記第１バックストラップは、第１サイドシームで前記バストパネルに結合され、前記第１サイドシームは、前記第１ショルダーシームの長さより長い長さを有し、および前記第２バックストラップは、第２サイドシームで前記バストパネルに結合され、前記第２サイドシームは、前記第２ショルダーシームの長さより長い長さを有する、物品。
【００４９】
実施例３：前記第１バックストラップは、前記第２バックストラップに留められている、実施例２に記載の物品。
【００５０】
実施例４：前記第１バックストラップは、バータックで前記第２バックストラップに結合され、前記バータックは、３／８インチから１／２インチの間の長さを有する、実施例２に記載の物品。
【００５１】
実施例５：前記前側パネルおよび前記後側パネルは、１つまたは複数の前記サイドシームが着用者の背中の中心軸に向かって付勢されるように構成される、実施例２〜４のいずれか１つに記載の物品。
【００５２】
実施例６：前記バストパネルは、補足的な弾性周方向バンドを含まない、実施例２〜５のいずれか１つに記載の物品。
【００５３】
実施例７：前記第１バックストラップの一部、前記第２バックストラップの一部、および前記前側パネルの一部は、着用者の腕を受け入れるように構成されたアーム穴を画定する、実施例２〜６のいずれか１つに記載の物品。
【００５４】
実施例８：前記第１サイドシームおよび前記第２サイドシームの一方または両方の長さは、４  １／２インチから４  ５／８インチの間である、実施例２〜７のいずれか１つに記載の物品。
【００５５】
実施例９：前記第１ショルダーシームおよび前記第２ショルダーシームの一方または両方の長さは、１インチから１．５インチの間である、実施例２〜８のいずれか１つに記載の物品。
【００５６】
実施例１０：前記第１サイドシームの長さと前記第１ショルダーシームの長さとの比は、２．５：１である、実施例２〜９のいずれか１つに記載の物品。
【００５７】
実施例１１：前記第２サイドシームの長さと前記第２ショルダーシームの長さとの比は、２．５：１である、実施例２〜１０のいずれか１つに記載の物品。
【００５８】
実施例１２：前記前側パネルは、少なくとも部分的に発泡体から形成される、実施例２〜１１のいずれか１つに記載の物品。
【００５９】
実施例１３：前記第１バックストラップおよび前記第２バックストラップの一方または両方は、アウターレイヤ（例えば、スパンデックスまたはエラスタン）と、前記アウターレイヤに隣接して設けられ、着用者に当接するよう構成されたメッシュライナーとを含む、実施例２〜１２のいずれか１つに記載の物品。
【００６０】
実施例１４：前記アウターレイヤは、１１％〜１２％のエラスタンを含む、実施例１３に記載の物品。
【００６１】
実施例１５：前記メッシュライナーは、８０％〜８１％のナイロンから構成される、実施例１３に記載の物品。
【００６２】
実施例１６：前記第１バックストラップおよび前記第２バックストラップの一方または両方は、曲線線形形状を有する、実施例２〜１５のいずれか１つに記載の物品。
【００６３】
実施例１７：前記第１サイドシームおよび前記第２サイドシームの一方または両方は、前記第１バックストラップおよび前記第２バックストラップの対応する１つに結合されたメッシュ材料によって覆われている、実施例２〜１６のいずれか１つに記載の物品。
【００６４】
実施例１８：バストパネルと、第１ショルダーストラップと、第２ショルダーストラップとを含む前側パネルで、前記第１ショルダーストラップおよび前記第２ショルダーストラップは、互いに離間して前記バストパネルから延びて、着用者の首を受け入れるように構成された首穴の少なくとも一部を画定する、前側パネルと、クロスバックパターンに構成される第１バックストラップと第２バックストラップとを含む後側パネルと、を備えた物品であって、前記第１バックストラップは、第１ショルダーシームで前記第１ショルダーストラップに結合され、前記第２バックストラップは、第２ショルダーシームで前記第２ショルダーストラップに結合され、前記第１バックストラップは、第１サイドシームで前記バストパネルに結合され、前記第１バックストラップは、前記第１サイドシームと前記第１ショルダーシームとの間にテーパ幅を示す曲線線形形状を有し、および前記第２バックストラップは、第２サイドシームで前記バストパネルに結合され、前記第２バックストラップは、前記第２サイドシームと前記第２ショルダーシームとの間にテーパ幅を示す曲線線形形状を有する、物品。
【００６５】
実施例１９：前記第１バックストラップは、前記第２バックストラップの少なくとも一部を覆うことで、前記クロスバックパターンを画定する、実施例１８に記載の物品。
【００６６】
実施例２０：前記第１バックストラップは、前記第２バックストラップに留められている、実施例１８〜１９のいずれか１つに記載の物品。
【００６７】
実施例２１：前記第１バックストラップは、バータックで前記第２バックストラップに結合され、前記バータックは、３／８インチから１／２インチの間の長さを有する、実施例１８〜１９に記載の物品。
【００６８】
実施例２２：前記前側パネルおよび前記後側パネルは、１つまたは複数の前記サイドシームが着用者の背中の中心軸に向かって付勢されるように構成される、実施例１８〜２１のいずれか１つに記載の物品。
【００６９】
実施例２３：前記バストパネルは、補足的な弾性周方向バンドを含まない、実施例１８〜２２のいずれか１つに記載の物品。
【００７０】
実施例２４：前記第１バックストラップの一部、前記第２バックストラップの一部、および前記前側パネルの一部は、着用者の腕を受け入れるように構成されたアーム穴を画定する、実施例１８〜２３のいずれか１つに記載の物品。
【００７１】
実施例２５：前記第１サイドシームおよび前記第２サイドシームの一方または両方の長さは、４  １／２インチから４  ５／８インチの間である、実施例１８〜２４のいずれか１つに記載の物品。
【００７２】
実施例２６：前記第１ショルダーシームおよび前記第２ショルダーシームの一方または両方の長さは、１インチから１．５インチの間である、実施例１８〜２５のいずれか１つに記載の物品。
【００７３】
実施例２７：前記第１サイドシームの長さと前記第１ショルダーシームの長さとの比は、２．５：１である、実施例１８〜２６のいずれか１つに記載の物品。
【００７４】
実施例２８：前記第２サイドシームの長さと前記第２ショルダーシームの長さとの比は、２．５：１である、実施例１８〜２７のいずれか１つに記載の物品。
【００７５】
実施例２９：前記前側パネルは、少なくとも部分的に発泡体から形成される、実施例１８〜２８のいずれか１つに記載の物品。
【００７６】
実施例３０：前記第１バックストラップおよび前記第２バックストラップの一方または両方は、アウターレイヤ（例えば、スパンデックスまたはエラスタン）と、前記アウターレイヤに隣接して設けられ、着用者に当接するよう構成されたメッシュライナーとを含む、実施例１８〜２９のいずれか１つに記載の物品。
【００７７】
実施例３１：前記アウターレイヤは、１１％〜１２％のエラスタンを含む、実施例３０に記載の物品。
【００７８】
実施例３２：前記メッシュライナーは、８０％〜８１％のナイロンから構成される、実施例３０に記載の物品。
【００７９】
システムおよび方法は、現在特定の実施形態であると考えられるものに関して説明されてきたが、本開示は、開示された実施形態に限定される必要はない。特許請求の範囲の精神および範囲内に含まれる様々な修正および類似の配置を網羅することを意図しており、特許請求の範囲は、このような修正および類似の構造をすべて包含するように最も広い解釈に従うべきである。
【図１】
2021524889.tif 000003
【図２】
2021524889.tif 000004
【図３】
2021524889.tif 000005
【図４】
2021524889.tif 000006
【図５】
2021524889.tif 000007
【図６】
2021524889.tif 000008
【国際調査報告】
2021524889.tif 000009
2021524889.tif 000010
2021524889.tif 000011